(57)【要約】【課題】横揺れを効果的に吸収できる構造物の吸震構造とそれに使用する吸震アンカーを提供すること。【解決手段】基礎１と土台３との間に吸震アンカー部材１０と一対の滑り部材７を配置する。吸震アンカー部材１０は、コイルばね本体部１１と第１の取付部材１２と第２の取付部材１３とを有して形成する。コイルばね本体部１１を水平方向に配置し、第１の取付部材１２を下方に向けてフック部を基礎１に埋設する。また、第２の取付部１３を上方に向けて土台３に雄ネジ部とナットで締結する。一方、滑り部材７は、基礎１に固着する下側滑り部材８と土台３にネジ結合する上側滑り部材９とを有し、横揺れの際、下側滑り部材８と上側滑り部材９との間で摺動可能に構成している。【選択図】図１
0003119957.tif 000002
【実用新案登録請求の範囲】
【請求項１】
基礎と土台との間に吸震アンカー部材を装着する構造物の吸震構造であって、
前記吸震アンカー部材は、コイルばね本体部と、前記コイルばね本体部の両端に配置される取付部とを備え、
前記取付部は、前記基礎に埋設するための第１の取付部と、前記土台に装着するための第２の取付部とを備えるとともに、前記第１の取付部と前記第２の取付部とは、互いに反対方向に向かって形成されるとともにそれぞれ前記コイルばね本体部の軸方向に対して直交する方向に延設され、
前記コイルばね本体部の軸心を、前記基礎と前記土台との間に水平方向に配置するとともに、前記第１の取付部を下方に向けて前記基礎に埋設し、前記第２の取付部を上方に向けて前記土台に装着したことを特徴とする構造物の吸震構造。
【請求項２】
前記基礎と前記土台との間には、前記基礎と前記土台とを水平方向に移動可能とする一対の滑り部材が配設され、前記一対の滑り部材の一方は前記基礎に固着され他方は前記土台に固着されていることを特徴とする請求項１記載の構造物の吸震構造。
【請求項３】
前記一対の滑り部材の対向する表面には、それぞれＶ字状の溝が形成され、前記Ｖ字状の溝にはグリスが充填されて、それぞれ滑りやすく形成されていることを特徴とする請求項２記載の構造物の吸震構造。
【請求項４】
前記基礎と前記土台との間で水平方向に配置される複数の前記吸震アンカー部材は、それぞれ直交又は有角状態で配置されていることを特徴とする請求項１，２又は３のいずれかに記載の構造物の吸震構造。
【請求項５】
前記吸震アンカー部材の第２の取付部には、前記コイルばね本体部と前記土台との間に角状部材が配置されていることを特徴とする請求項１，２，３又は４のいずれかに記載の構造物の吸震構造。
【請求項６】
前記吸震アンカー部材は、前記コイルばね本体部に座屈防止部材を挿入していることを特徴とする請求項１，２，３，４又は５のいずれかに記載の構造物の吸震構造。
【請求項７】
コイル型弾性部材を備えて吸震機能を有する吸震アンカー部材であって、
前記吸震アンカー部材は、コイルばね本体部と、前記コイルばね本体部の両端に配置される取付部とを備え、
前記取付部は、前記基礎に埋設するための第１の取付部と、前記土台に装着するための第２の取付部とを備えるとともに、前記第１の取付部と前記第２の取付部とは、互いに反対方向に向かって形成されるとともにそれぞれ前記コイルばね本体部の軸方向に対して直交する方向に延設されることを特徴とする吸震アンカー部材。
【請求項８】
前記第１の取付部が、先端部に前記基礎に埋設するためのフック部を備えていることを特徴とする請求項７記載の吸震アンカー部材。
【請求項９】
前記第２の取付部が、先端部に前記土台にネジ結合するためのネジ部を備えていることを特徴とする請求項７又は８記載の吸震アンカー部材。
【請求項１０】
前記第１の取付部と前記第２の取付部とは、前記コイルばね本体部の軸心方向に対する平面視において、前記コイルばね本体部の周縁部から接線方向に向かって、略同一軸線上に配置されていることを特徴とする請求項７，８又は９のいずれかに記載の吸震アンカー部材。
【考案の詳細な説明】
【技術分野】
【０００１】
本考案は、構造物の吸震構造とそれに使用する吸震アンカー部材に関する。
【背景技術】
【０００２】
従来、構造物の免震構造は、基礎と土台との間にばね部材を配置して上下方向の揺れを吸収するように構成されたものが多かった。例えば、図１１に示されている構造物の免震構造は、地盤中に一部が埋設される基礎２１と基礎２１の上方に配置する土台２３とを、ばね部分２４ａを有して垂直方向に配置されたアンカーボルト２４で締結している（特許文献１）。アンカーボルト２４のばね部分２４ａは、基礎２１の上面から下方に向かって形成されたテーパ状の穴２１ａ内に収容されている。これによって、上下方向の振動を好適に吸収することが可能となっていた。この免震用のアンカーボルト２４は、通常のアンカーボルトと同様、ばね部分２４ａの下部にＵ字状のフック部２４ｂを形成して、基礎施工時にコンクリートで埋め戻して基礎に埋設している。この免震構造においては、横方向の揺れに対しては、基礎２１側と土台２３側に固着された一対の滑り部材２５を対向して配置させている。そして、横揺れの場合には、一対の滑り部材２５間でそれぞれ移動することによって免震機能が発揮されていた。
【０００３】
また、特許文献２では、免震アンカーボルトが開示されている。これによると、図１２に示すように、免震アンカーボルト３０は本体ばね部３１の両側に一体的に配置されるネジ部３２とＬ形アンカー部３３とを備えて形成されている。この免震アンカーボルト３０を構造物の基礎と土台との間に垂直方向に配置することによって縦揺れを吸収することができる。
【特許文献１】特開平１０−６１２５１号公報（２〜３頁、図１参照）
【特許文献２】登録実用新案第３０３４０４号公報（２〜３頁、図１参照）
【考案の開示】
【考案が解決しようとする課題】
【０００４】
一般に地震が発生すると、横揺れが頻繁に発生することから、横揺れに対する対策を行う必要がある。直下型地震の場合には縦揺れが大きく、この場合には免震対策には限度があり免震対策を充分に行えない場合が多い。
【０００５】
特許文献１における免震構造は、アンカーボルト２４を垂直方向に配置することによって、主に、縦揺れに対して対策されたものであるから、アンカーボルト２４自体では横揺れに対して充分に対策できているものではない。つまり、特許文献１では、横揺れに対して滑り部材２５で吸収はできるものの、垂直方向に配置した免震用のアンカーボルト２４に水平方向の大きな負荷がかかると屈曲してばね部分２４ａが延びて復帰できないことがある。ばね部分２４ａが元の状態に復帰できないと縦揺れ自体を吸収できなくなることから、実用的に使用することができなかった。
【０００６】
また、特許文献２においては、ばね本体部３１の一端に配置されるＬ形アンカー部３３を基礎に埋設することによって、アンカーボルト３０が垂直方向に配置されることとなる。そしてＬ形部が基礎に強固に固着され地震の横揺れに対して上部のネジ部３２を弾性的に移動させることができ、ばね本体部３１による縦揺れの吸収とともに横揺れを吸収する効果をある程度発揮することができるものの、やはり大きな横揺れに対してはその耐久性に限度があった。
【０００７】
従って、特許文献１、２においてはいずれの場合も、縦揺れをある程度吸収することはできるものの、大きな横揺れに対しては、ばね自体で吸収することが困難であった。
【課題を解決するための手段】
【０００８】
本考案は、上述の課題を解決するものであり、廉価に構成するとともに主に横揺れに対する吸震効果を達成できる構造物の吸震構造と吸震アンカー部材を提供することを目的とするものである。
【０００９】
すなわち、本考案に係る構造物の吸震構造は、請求項１記載の考案では、基礎と土台との間に吸震アンカー部材を装着する構造物の吸震構造であって、
前記吸震アンカー部材は、コイルばね本体部と、前記コイルばね本体部の両端に配置される取付部とを備え、前記取付部は、前記基礎に埋設するための第１の取付部と、前記土台に装着するための第２の取付部とを備えるとともに、前記第１の取付部と前記第２の取付部とは、互いに反対方向に向かって形成されるとともにそれぞれ前記コイルばね本体部の軸方向に対して直交する方向に延設され、前記コイルばね本体部の軸心を、前記基礎と前記土台との間に水平方向に配置するとともに、前記第１の取付部を下方に向けて前記基礎に埋設し、前記第２の取付部を上方に向けて前記土台に装着したことを特徴とするものである。
【００１０】
請求項２記載の考案では、前記基礎と前記土台との間には、前記基礎と前記土台とを水平方向に移動可能とする一対の滑り部材が配設され、前記一対の滑り部材の一方は前記基礎に固着され他方は前記土台に固着されていることを特徴としている。
【００１１】
請求項３記載の考案では、前記一対の滑り部材の対向する表面には、それぞれＶ字状の溝が形成され、前記Ｖ字状の溝にはグリスが充填されて、それぞれ滑りやすく形成されていることを特徴としている。
【００１２】
請求項４記載の考案では、前記基礎と前記土台との間で水平方向に配置される複数の前記吸震アンカー部材は、それぞれ直交又は有角状態で配置されていることを特徴としている。
【００１３】
請求項５記載の考案では、前記吸震アンカー部材の第２の取付部には、前記コイルばね本体部と前記土台との間に角状部材が配置されていることを特徴としている。
【００１４】
請求項６記載の考案では、前記吸震アンカー部材は、前記コイルばね本体部に座屈防止部材を挿入していることを特徴としている。
【００１５】
また、本考案にかかわる吸震アンカー部材は、請求項７記載の考案では、コイル型弾性部材を備えて吸震機能を有するものであって、前記吸震アンカー部材は、コイルばね本体部と、前記コイルばね本体部の両端に配置される取付部とを備え、
前記取付部は、前記基礎に埋設するための第１の取付部と、前記土台に装着するための第２の取付部とを備えるとともに、前記第１の取付部と前記第２の取付部とは、互いに反対方向に向かって形成されるとともにそれぞれ前記コイルばね本体部の軸方向に対して直交する方向に延設されることを特徴とするものである。
【００１６】
請求項８記載の考案では、前記第１の取付部が、先端部に前記基礎に埋設するためのフック部を備えていることを特徴としている。
【００１７】
請求項９記載の考案では、前記第２の取付部が、先端部に前記土台にネジ結合するためのネジ部を備えていることを特徴としている。
【００１８】
請求項１０記載の考案では、前記第１の取付部と前記第２の取付部とは、前記コイルばね本体部の軸心方向に対する平面視において、前記コイルばね本体部の周縁部から接線方向に向かって、略同一軸線上に配置されていることを特徴としている。
【考案の効果】
【００１９】
請求項１記載の考案によれば、吸震アンカー部材のコイルばね本体部を基礎と土台との間に水平方向に配置する。コイルばね本体部の一端でコイルばね本体部と一体的に形成された第１の取付部は下方に向かって延設して基礎に埋設され、コイルばね本体部の他端でコイルばね本体部と一体的に形成された第２の取付部は、上方に向かって土台に装着されている。
【００２０】
このため、地震の発生で大きな横揺れが生じたときには、水平状態に配置されたコイルばね本体部がその揺れを吸収することになり、基礎と土台との間で発生しやすい歪を防止することができる。また、吸震アンカー部材を構造物に取付ける際、基礎に新たな加工を施すことなく装着できることから、簡単な構成で容易に行なうことができ、廉価な費用で吸震構造を構成することができる。また、縦揺れに対しては、垂直方向に延設する一対の取付部がコイルばね本体部を縮径・拡径させることによって縦揺れを吸収でき実用的な吸震対策を行うことが可能となる。
【００２１】
請求項２記載の考案によれば、横揺れが発生した際、横揺れは吸震アンカー部材で吸収されるとともに基礎と土台とが一対の滑り部材間で移動することによって基礎と土台との間で発生しやすい歪を吸収することができ、更なる吸震対策を行うことができる。
【００２２】
請求項３記載の考案によれば、一対の滑り部材にＶ字状の溝を形成することによって、一対の滑り部材を合わせたときに、Ｖ字状の溝内にグリスを装填すれば、地震による横揺れ発生の際、滑り部材は滑りやすくなって基礎と土台との間の歪を少なくすることができる。
【００２３】
請求項４記載の考案によれば、基礎と土台との間に水平方向に配置されている複数のアンカー部材は、コイルばね本体部の軸心をそれぞれ直交又は有角となる少なくとも２方向に向けていることから、横揺れの方向がどの方向に発生しても、横揺れを効果的に吸収することができる。
【００２４】
請求項５記載の考案によれば、土台と基礎との間に配置されている吸震アンカー部材のコイルばね本体部は、横揺れの発生で伸縮する際に基礎の上面又は土台の下面に接触して傷つけやすい。そのため、吸震アンカー部材の第２の取付部におけるコイルばね本体部と土台の下面との間に角状部材を配置することによって、コイルばね本体部と土台との間のスペースを広く取ることができ、各部材どうしの干渉を防止することができる。
【００２５】
請求項６記載の考案によれば、吸震アンカー部材は、横揺れの際、座屈を起こしやすい形状となっており、座屈を起こすことによって吸震効果を減少させることから、コイルばね本体部内にパイプ部材又はシャフト部材を挿入することによって、座屈防止を図ることができる。
【００２６】
請求項７記載の考案による吸震アンカー部材は、請求項１乃至３記載の構造物の吸震構造で使用するものであり、コイルばね本体部の軸心に対して取付部が直交して配置されている。つまり、コイルばね本体部を水平方向に配置すれば、取付部は垂直方向に向かって配置されることから、横揺れをコイルばね本体部で吸収できるとともに、縦揺れに対して、一対の取付部でコイルばね本体部を縮径・拡径しやすく縦揺れも吸収しやすい。しかも、吸震アンカー部材は、通常のコイルばねとほぼ同様に製造できることから廉価に形成することができる。
【００２７】
請求項８乃至９記載の考案によれば、吸震アンカー部材の第１の取付部はコンクリートで基礎を埋め戻す際にフック部を埋設することによって、基礎に強固に固着され、第２の取付部材はネジ部を土台のねじ孔に挿通してねじ結合することから、容易な作業で施工できる。
【００２８】
請求項１０記載の考案によれば、コイルばね本体部を基礎と土台との間で水平方向に配置する際、第１の取付部と第２の取付部は、コイルばね本体部の軸心方向に対する平面視において、コイルばね本体部から同一接線上に配置されていることから、基礎と土台への幅方向における取付け位置が平面視略同一となり、吸震アンカー部材の取付スペースを有効に利用することができる。
【００２９】
また、これによって、コイルばねのひねり効果を有効に利用することができることから、コイルばね本体部の縮径・拡径を容易にさせることができるとともにひねりばねの効果として、第１の取付部と第２の取付部との間に伝達される垂直方向の力をコイルばね本体部で吸収することができる。
【考案を実施するための最良の形態】
【００３０】
次に、本考案の構造物の吸震構造及び吸震アンカー部材を図面に基づいて説明する。
【００３１】
図１は、構造物の吸震構造を示す斜視図であり、図２〜３は、吸震構造内で使用する吸震アンカー部材を示すものである。構造物Ｍの吸震構造は、地中内に一部埋設される基礎１と、基礎１上に配置される土台３との間に吸震アンカー部材（以下、アンカー部材ともいう）１０を配置して構成するものである。吸震アンカー部材１０は、一般的にコイルばねを製造する際に使用されるばね鋼（ＳＷＰ）で形成され、コイル状に巻回したコイルばね本体部１１と、コイルばね本体部１１の一端からコイルばね本体部１１の軸心に直交して延設する第１の取付部１２と、コイルばね本体部１１の他端から、第１の取付部と反対の方向に延設する第２の取付部１３とを有して形成されている。
【００３２】
第１の取付部１２の先端部には、Ｕ字状のフック部１２１がコイルばね本体部１１の軸心方向に沿って形成され基礎１に埋設される。第２の取付部１３は、先端に雄ネジ１３１が形成され構造物の土台３に止着されている。
【００３３】
図３に示すように、第１の取付部１２と第２の取付部１３とは、コイルばね本体部１１の軸心に対する平面視において、コイルばね本体部１１の周縁部の一箇所から接線方向にそれぞれ反対の方向に向かって延設されている。しかも、第１の取付部１２と第２の取付部１３の軸心は、同一直線（又は略同一直線）上に配置されている。
【００３４】
基礎１と土台３との間には、図４〜５に示すように、基礎１の上面に固着された下側滑り部材８と土台３の下面に固着された上側滑り部材９を対向して配置する滑り部材７が多数に配置されている。図６に示すように、下側滑り材８はポリアセタールで形成されるとともに直方体状に形成され基礎１の上面に溶着されている。上側滑り部材９はポリアセタールで形成されるとともに上面側の両側にフランジ部９１、９１を有して平面視矩形状に形成され、フランジ部９１に形成されたネジ挿通孔９２にネジ部材９３を挿通して土台３に止着されている。また、下側滑り部材８の上面と上側滑り部材９の下面は、圧接状態で係合されるとともに面粗度を高くして滑りやすい面を有している。
【００３５】
アンカー部材１０は、滑り部材７の近傍に配置され、コイルばね本体部１１を基礎１（土台３）の長手方向に沿って水平方向に配置するとともに、第１の取付部１２のフック部１２１をコイルばね本体部１１の軸心方向に向くように配置されている。第２の取付部１３は、土台３の貫通孔３１を挿通して、ナット１４で締結されている。
【００３６】
図５に示すように、アンカー部材１０は、コイルばね本体部１１を基礎１と土台３との間の幅方向における略中央部に位置するように、第１の取付部１２と第２の取付部１３をそれぞれ基礎１及び土台３に固着することが望ましい。しかしながら、第１の取付部１２と第２の取付部１３は、基礎１又は土台３の幅方向に対して有効なスペースをとって装着することができることから、アンカー部材１０を装着する際の取り付けスペースの状態では幅方向に自由に移動させて配置させることができる。
【００３７】
なお、このアンカー部材１０は、図７に示すように、基礎１（又は土台３）の各片において、一対の滑り部材７を間にして複数本相対向するように配置している。つまり、第１の取付部１２をコイルばね本体１１の外側に向け、第２の取付部１３を滑り部材７側に配置するように基礎１に装着している。従って基礎１が各辺を直交するように形成されていることから、複数の吸震アンカー部材１０はそれぞれ自然と直交する方向に配置されることとなる。なお、吸震アンカー部材１０をそれぞれ基礎１の長手方向に対して有角となるように配置しても良い。もともと地震の発生で横揺れが生じた場合、横揺れがどの方向に発生するかは不明であることから、水平方向に配置されたコイルばね本体部１１であれば、いずれかあるいは全部の吸震アンカー部材１０を有角に配置することは適宜設定できるものである。
【００３８】
次に、上記のように構成された構造物の吸震構造の作用について説明する。
【００３９】
地震が発生すると縦揺れ又は横揺れが生じる。横揺れは基礎１に水平方向の力がかかることになり、この水平方向の力は、滑り部材７を介して基礎１から土台３に伝達される。
【００４０】
実施形態の構造物Ｍにおいて、基礎１から土台３に伝達される水平方向の力は、コイルばね本体部１１を水平方向に配置したアンカー部材１０で吸収されるとともに、滑り部材７において、上側滑り部材８と下側滑り部材９との間で滑りを発生させることとにより吸収される。そのすべりによって土台３が基礎１に対して歪むことなく水平方向に移動されることとなる。
【００４１】
また、縦揺れは、土台３を基礎１から離れさせようとする垂直方向の力を加えることとなるが、実施形態の構造物Ｍでは、基礎１と土台３とはアンカー部材１０の一対の取付部１２、１３で連結されていることから、垂直方向の力は、第１の取付部１２と第２の取付部１３に力がかかることとなる。第１の取付部１２と第２の取付部１３にかかる垂直方向の力は、水平方向に配置されたコイルばね本体部１１のひねりばね効果によって吸収される。
【００４２】
つまり、実施形態のアンカー部材１０は、第１の取付部１２と第２の取付部１３は、コイルばね本体部１１の軸心に対する平面視において、コイルばね本体部１１の軸心に対していずれも一方の側の周縁部の一部から反対の方向の接線方向に向かって同一直線上に延設していることから、第１の取付部１２と第２の取付部１３をお互いに引っ張ったり、圧縮したりすることによって、コイルばね本体部１１のコイル径を縮径したり、拡径したりすることを容易に行なうことができる。それによって、ばねがひねられて垂直方向の力を吸収することとなる。
【００４３】
なお、実施形態のアンカー部材は、本出願人による実験結果によりその効果が発揮されている。これによると、コイルばね本体部１１は、材質ＳＷＢ、線形１２ｍｍ、有効巻数１２、コイル外径６０ｍｍ、コイル平均径４８ｍｍ、コイル自然長２３４ｍｍで形成したところ、荷重約９．６６ｋＮで撓み１５０ｍｍとなりこの撓みが復帰できることが証明されている。
【００４４】
大地震の場合、水平方向に加わる力には約０.８トン(７.８４ｋＮ)の荷重がかかるといわれていることから、実施形態の吸震アンカー部材１０では、十分な効果を得ることができる。
【００４５】
上記のように、実施形態の構造物の吸震構造によれば、コイルばね本体部１１と第１の取付部１２と第２の取付部１３からなる吸震アンカー部材１０を、基礎１と土台３との間に配置する際、コイルばね本体部１１を水平方向に配置して、第１の取付部１２を基礎１に埋設し、第２の取付部１３を土台３に装着することによって横揺れを効果的に吸収することができる。しかも、第１の取付部１２と第２の取付部１３とは、コイルばね本体部１１の軸心方向と直交する方向に、それぞれ反対に向かって延設されているので、縦揺れに対しても、コイルばね本体部１１のコイル径を容易に縮径・拡径することができる。これによって、横揺れと縦揺れを吸収できることから建屋を保護することができる。
【００４６】
また、アンカー部材１０の、第１の取付部１２と第２の取付部１３が、コイルばね本体部１１の軸心に対する平面視において、コイルばね本体部１１の軸心に対していずれも一方の側に配置され、しかもコイルばね本体部１１の周縁部の一部から接線方向の反対方向に向かって同一直線上に延設されることによって、コイルばね本体部１１のコイル径を効果的に縮径・拡径しやすくこれによって縦揺れを吸収することができる。従って、横揺れだけでなく縦揺れに対しても振動を吸収する効果を発揮できる。
【００４７】
なお、本願考案の構造物の吸震構造は、上記の形態に限るものではない。例えば、図８に示すように、基礎１と土台３との間に配置されるアンカー部材１０のコイルばね本体部１１が、横揺れの際に、土台３の下面に接触してアンカー部材１０の損傷を防止するために、アンカー部材１０の第２の取付部１３に角状部材１５を装着してもよい。この角状部材１５は、土台３の下面に座金の役目を果たすように、第２の取り付ける１３に螺着することによって土台３の下面とコイルばね本体部１１との間にスペースを有することとなる。これによって、各部材どうしの干渉を防止することができる。
【００４８】
また、図９に示すように、アンカー部材１０のコイルばね本体部１１の座屈を防止してアンカー部材１０の吸震効果の減少を防止するために、コイルばね本体部１１の内部にパイプ又はシャフト等の座屈防止部材１６を挿入してもよい。
【００４９】
また、図１０に示すように、横揺れの際に、一対の滑り部材７の滑り効果をさらに向上するために、それぞれの滑り部材８、９には、対向する面にＶ字状の溝８４、９４を形成
し、それぞれの溝８４、９４が合わせられて菱形状の孔部を形成したときにその孔にグリスを装填して一対の滑り部材７が滑りやすくすることもできる。さらに、それぞれの滑り部材８、９は、ボルト挿通孔８５、９５の一端に座ぐり孔８６、９６を形成して基礎１、土台３に装着するようにしてもよい。
【図面の簡単な説明】
【００５０】
【図１】本考案の一形態を示す構造物の吸震構造の斜視図である。
【図２】本考案の一形態を示す吸震アンカー部材の正面図である。
【図３】同側面図である。
【図４】図１におけるIV−IV断面図である。
【図５】図１におけるＶ−Ｖ断面図である。
【図６】図１における滑り部材を示す斜視図である。
【図７】図１における土台を除いた状態の基礎の上面を示す平面図である
【図８】吸震アンカー部材の別の形態の配置状態を示す一部断面図である。
【図９】吸震アンカー部材の座屈防止を図る形態を示す断面図である。
【図１０】滑り部材の別の形態を示す断面図である
【図１１】従来の構造物の免震構造を示す図である。
【図１２】従来のアンカーボルトを示す図である。
【符号の説明】
【００５１】
Ｍ、構造物
１、基礎
３、土台
７、滑り部材
８、下側滑り部材
９、上側滑り部材
１０、吸震アンカー部材
１１、コイルばね本体部
１２、第１の取付部
１２１、フック部
１３、第２の取付部
１３１、雄ネジ部
１５、角状部材
１６、座屈防止部材
８４、Ｖ字状の溝
９４、Ｖ字状の溝
【図１】
0003119957.tif 000003
【図２】
0003119957.tif 000004
【図３】
0003119957.tif 000005
【図４】
0003119957.tif 000006
【図５】
0003119957.tif 000007
【図６】
0003119957.tif 000008
【図７】
0003119957.tif 000009
【図８】
0003119957.tif 000010
【図９】
0003119957.tif 000011
【図１０】
0003119957.tif 000012
【図１１】
0003119957.tif 000013
【図１２】
0003119957.tif 000014